(57)【要約】【課題】  カードを所定位置まで挿入しなければ押圧ボタンを筐体から突出することができない動作を可能とするいわゆるプッシュープッシュ作用を可能にしたイジェクト機能を有するコンパクトなカードコネクタを提供する。【解決手段】  カードコネクタ１のカード排出手段２０は、コネクタ部１０に回動可能に配置された回動アーム２１と、ガイドアーム１２の側面に沿ってカードＣの挿抜方向に移動可能な押圧バー２３と、押圧バー２３に回動可能に軸支され、カードＣの排出時に回動アーム２１を押圧して回動させる押圧プレート２５とを具備している。ガイドアーム１２の側面に形成されたハート形のカム溝２６と、押圧プレート２５に設けられ、カム溝２６と係合するカムピン２５ｃとからなるカム機構と、カードＣが所定位置に挿入されたときに、カムピン２５ｃがカム溝２６に沿って移動することを可能にする押圧バーの移動規制手段とを設けている。【選択図】      図１
2006040634.tif 000002
【特許請求の範囲】
【請求項１】
カードを挿抜可能に案内するガイドアームを有するコネクタ部と、該コネクタ部に挿入された前記カードを排出するカード排出手段とを備えたカードコネクタであって、
前記カード排出手段が、前記コネクタ部に回動可能に配置され、回動により前記カードを抜出方向に排出する回動アームと、押圧ボタンを有し前記ガイドアームの側面に沿って前記カードの挿抜方向に移動可能な押圧バーと、該押圧バーに回動可能に軸支され、前記カードの排出時に前記回動アームを押圧して回動させる押圧プレートとを具備し、
前記ガイドアームの側面に形成されたハート形のカム溝と、前記押圧プレートに設けられ、前記カム溝と係合するカムピンとからなるカム機構と、前記カードが所定位置に挿入されたときに、前記カムピンが前記カム溝に沿って移動することを可能にする押圧バーの移動規制手段とを設けたことを特徴とするカードコネクタ。
【発明の詳細な説明】
【技術分野】
【０００１】
本発明は、いわゆるプッシュープッシュ作用を可能にしたイジェクト機能を有するカードコネクタに関する。
【背景技術】
【０００２】
従来のこの種のカードコネクタとして、例えば、図１０に示すものが知られている（特許文献１参照）。
このカードコネクタ１０１は、カード（図示せず）を案内する１対のフレーム部１１１を有する絶縁性のハウジング１１０と、ハウジング１１０に保持された複数のコンタクト１２０と、一方のフレーム部１１１の側方に設けられ、カードを排出するためのプッシュープッシュ式イジェクト機構１３０とを備えている。
【０００３】
イジェクト機構１３０は、一方のフレーム部１１１に対してスライド可能に装着され、カードを排出するイジェクトレバー１３１と、このイジェクトレバー１３１をカードの排出方向へ常時付勢するばね部材１３２と、カムフォロア１３３とを備えている。イジェクトレバー１３１は、カード挿入時にカードの先端に押され、かつ、カード排出時にカードの先端を押すカード当接部１３１ａを有するとともに、イジェクトレバー１３１の側面には、ハート形のカム溝１３４が形成されている。そして、カムフォロア１３３は、ハウジング１１０の一方のフレーム部１１１に対して所定角度回動可能に軸支されるとともに、その先端にカム溝１３４に係合するガイドピン１３３ａが設けられている。イジェクトレバー１３１に形成されたハート形のカム溝１３４とハウジング１１０に所定角度回動可能に軸支されたカムフォロア１３３のガイドピン１３３ａとが係合することによって、イジェクトレバー１３１のスライドが規制されるようになっている。
【０００４】
このカードコネクタ１０１において、カードが挿入されていない場合には、カムフォロア１３３のガイドピン１３３ａはカム溝１３４のうちの後端凹部（図１０における右端部分）１３４ａに位置し、イジェクトレバー１３４は最も前方側に突出した位置に位置している。
そして、カードをハウジング１１０の前側から挿入し、そのカードの先端がイジェクトレバー１３１の当接部１３１ａに当接すると、カードとイジェクトレバー１３１とが一体となってカードコネクタ１０１内へばね部材１３２の圧縮力に抵抗しながら後退する。このとき、ガイドピン１３３ａはカム溝１３４の後端部分１３４ａから一方の溝部分１３４ｂに位置する。
【０００５】
続いて、カードを最大ストロークまで押圧した後にその押圧を中止すると、カード及びイジェクトレバー１３１はばね部材１３２の復元力によってわずかに前進し、ガイドピン１３３ａはカム溝１３４の前端凹部１３４ｃに位置する。これにより、カードの挿入操作は完了する。
そして、再度、カードを最大ストロークまで押圧した後にその押圧を中止すると、ガイドピン１３３ａは前端凹部１３４ｃを脱出して他方の溝部分１３４ｄを経て後端凹部１３４ａに至る。カード及びイジェクトレバー１３１はばね部材１３２の復元力によって前進し、カードが排出される。このとき、イジェクトレバー１３１は最初の状態、つまり最も前進した位置に位置することになるのである。
【０００６】
また、いわゆるプッシュープッシュ作用を可能にしたイジェクト機構を有するカードコネクタの他の例として、例えば、図１１及び図１２に示すもの（特許文献２参照）も知られている。
このカードコネクタ２０１は、カードＣを挿抜可能に案内するフレーム２１０と、フレーム２１０の側方に設けられたプッシュープッシュ式イジェクト機構２２０と、イジェクト機構２２０のプッシュロッドからの押圧力を受けて回動し、挿入されたカードＣを排出するイジェクトレバー２３０とを備えている。
【０００７】
ここで、プッシュロッドは、操作者からの押圧力を受ける第１ロッド２２１と、この押圧力をイジェクトレバー２３０に伝達する第２ロッド２２２とを有している。第２ロッド２２２と対向する第１ロッド２２１の先端には、ガイド板２４０に形成されたガイド溝２４１に係合するカム部材２５０が設けられ、カードＣの排出時に第１ロッド２２１と第２ロッド２２２とがカム部材２５０を介して連係するようになっている。
【特許文献１】特開２００１−２６７０１３号公報
【特許文献２】特開２００２−３２４６２３号公報
【発明の開示】
【発明が解決しようとする課題】
【０００８】
しかしながら、これら従来のカードコネクタ１０１、２０１にあっては、以下の問題点があった。
即ち、図１０に示したカードコネクタ１０１の場合、カードを挿入しない状態、すなわちカードがイジェクトレバー１３１に当接する前の状態ではイジェクトレバー１３１が最も前進した位置に位置している。このため、イジェトレバー１３１が、カードコネクタ１０１を設置したパーソナルコンピューター等の筐体から突出している可能性もあり、落下等によりイジェクトレバー１３１が損傷するおそれがある。また、イジェクトレバー１３１が筐体から突出していると、ユーザーが誤操作をしてしまうことがある。一方、カードが挿入されていない、すなわちカードがイジェクトレバー１３１に当接する前の状態で、イジェクトレバー１３１を押圧し、ガイドピン１３３ａをカム溝１３４の前端凹部１３４ｃに位置させてイジェクトレバー１３１を後退位置に位置させておくことも可能である。しかし、この状態で更にイジェクトレバー１３１を押圧することが可能であり、これによりガイドピン１３３ａが前端凹部１３４ｃを脱出して他方の溝部分１３４ｄを経て後端凹部１３４ａに至り、イジェクトレバー１３１が最も前進した位置に位置してしまうおそれがある。
【０００９】
また、図１１及び図１２に示したカードコネクタ２０１の場合、カードＣが挿されていない状態では、第１ロッド２２１に取り付けられた押圧ボタン２２３は筐体から突出せず、また、押圧ボタン２２３を押してもこの押圧ボタン２２３は筐体から突出することはない。しかし、カードＣの排出時に第１ロッド２２１と第２ロッド２２２とを連係させるカム部材２５０が、金属板を打抜いた後、折り曲げ加工することにより製造されるようになっているので、寸法精度が出しづらく、また、少しの寸法のずれやまた組み付け時における組み付け誤差により、カム部材として正常に機能しないことがあった。
【００１０】
従って、本発明は上述の問題点に鑑みてなされたものであり、その目的は、カードを所定位置まで挿入しなければ押圧ボタンを筐体から突出することができない動作を可能とするとともに、少しの寸法のずれやまた組み付け時における組み付け誤差の影響を受けることが少なくカム機能を確実に達成させることができるいわゆるプッシュープッシュ作用を可能にしたイジェクト機能を有するコンパクトなカードコネクタを提供することにある。
【課題を解決するための手段】
【００１１】
上記問題を解決するため、本発明のうち請求項１に係るカードコネクタは、カードを挿抜可能に案内するガイドアームを有するコネクタ部と、該コネクタ部に挿入された前記カードを排出するカード排出手段とを備えたカードコネクタであって、前記カード排出手段が、前記コネクタ部に回動可能に配置され、回動により前記カードを抜出方向に排出する回動アームと、押圧ボタンを有し前記ガイドアームの側面に沿って前記カードの挿抜方向に移動可能な押圧バーと、該押圧バーに回動可能に軸支され、前記カードの排出時に前記回動アームを押圧して回動させる押圧プレートとを具備し、前記ガイドアームの側面に形成されたハート形のカム溝と、前記押圧プレートに設けられ、前記カム溝と係合するカムピンとからなるカム機構と、前記カードが所定位置に挿入されたときに、前記カムピンが前記カム溝に沿って移動することを可能にする押圧バーの移動規制手段とを設けたことを特徴としている。
【発明の効果】
【００１２】
本発明に係るカードコネクタによれば、カード排出手段が、コネクタ部に回動可能に配置され、回動によりカードを抜出方向に排出する回動アームと、押圧ボタンを有しガイドアームの側面に沿ってカードの挿抜方向に移動可能な押圧バーと、押圧バーに回動可能に軸支され、カードの排出時に回動アームを押圧して回動させる押圧プレートとを具備しているので、押圧ボタンを有する押圧バーの押圧操作により、押圧プレートが押圧されて回動アームを回動させ、カードを排出することができる。そして、前記ガイドアームの側面に形成されたハート形のカム溝と、前記押圧プレートに設けられ、前記カム溝と係合するカムピンとからなるカム機構を設けたので、このカム機構により、前記押圧バー及び押圧プレートの引出動作と前記押圧バー及び押圧プレートの押圧動作とを不可逆にすることができる。即ち、カムピンはカム溝に沿って一方向に移動してカム溝を一回りし、逆方向には移動しない。そして、カム機構に曲げ加工は不要となり、少しの寸法のずれやまた組み付け時における組み付け誤差の影響を受けることが少なくカム機能を確実に達成させることができるいわゆるプッシュープッシュ作用を可能にしたイジェクト機能を有するコンパクトなカードコネクタを提供できる。また、前記カードが所定位置に挿入されたときに、前記カムピンが前記カム溝に沿って移動することを可能にする押圧バーの移動規制手段を設けたので、カードを所定位置まで挿入しなければ押圧ボタンを筐体から突出することができない動作を可能とすることができる。
【発明を実施するための最良の形態】
【００１３】
次に本発明の実施形態を図面を参照して説明する。図１は本発明に係るカードコネクタを示し、（Ａ）は平面図、（Ｂ）は左側面図、（Ｃ）は正面図である。図２はカードコネクタにカードを挿入する前の状態の主要部を示し、（Ａ）は一部平面図、（Ｂ）は一部左側面図、（Ｃ）は押圧バーを取り除いた一部左側面図である。図３はカードコネクタにカードを挿入後、押圧ボタンを突出させるために押圧プレートをやや後退させた状態の主要部を示し、（Ａ）は一部平面図、（Ｂ）は一部左側面図、（Ｃ）は押圧バーを取り除いた一部左側面図である。図４は押圧プレートを最後端位置まで後退させた後、押圧プレートの押圧を中止し押圧プレートが前進する途中の状態の主要部を示し、（Ａ）は一部平面図、（Ｂ）は一部左側面図、（Ｃ）は押圧バーを取り除いた一部左側面図である。図５は図４に示す状態から押圧プレートが更に前進した状態の主要部を示し、（Ａ）は一部平面図、（Ｂ）は一部左側面図、（Ｃ）は押圧バーを取り除いた一部左側面図である。図６は図５に示す状態から押圧プレートが更に前進し最前端位置にある状態の主要部を示し、（Ａ）は一部平面図、（Ｂ）は一部左側面図、（Ｃ）は押圧バーを取り除いた一部左側面図である。図７はカードを排出するために図６に示す状態から押圧プレートを後退させ押圧プレートの係合部が回動アームに当接した状態の主要部を示し、（Ａ）は一部平面図、（Ｂ）は一部左側面図、（Ｃ）は押圧バーを取り除いた一部左側面図である。図８は図７に示す状態から押圧プレートを更に後退させた状態の主要部を示し、（Ａ）は一部平面図、（Ｂ）は一部左側面図、（Ｃ）は押圧バーを取り除いた一部左側面図である。図９は押圧プレートを最後端位置にまで後退させた状態の主要部を示し、Ａ）は一部平面図、（Ｂ）は一部左側面図、（Ｃ）は押圧バーを取り除いた一部左側面図である。
【００１４】
図１において、カードコネクタ１は、コネクタ部１０と、カード排出手段２０とを具備している。
コネクタ部１０は、長手方向（図１（Ａ）における左右方向）に延びる略直方体形状体のハウジング１１と、ハウジング１１の長手方向に沿って保持された複数のコンタクト１６とを備えている。ハウジング１１は、絶縁性の樹脂を成形することによって形成され、ハウジング１１の長手方向両端には、前方（図１（Ａ）における下方）に向けて突出するガイドアーム１２が設けられている。また、ガイドアーム１２には、平板頂板部３１と、平板底板部３２と、これら平板頂板部３１及び平板底板部３２を連結する側壁部３３とを備えた金属フレーム３０が取り付けられる。ガイドアーム１２の内側面と金属フレーム３０の平板頂板部３１、側壁部３３及び平板底板部３２とで囲まれた空間により、上下２段のダブルスロットＡ，Ｂを構成し、ガイドアーム１２の内側面と金属フレーム３０の側壁部３３の内側面とによりカードＣを挿抜可能に案内するようになっている。また、ハウジング１１の長手方向両端部には、回路基板（図示せず）上に実装するための基板実装部１４が設けられ、各基板実装部１４には、取付ねじ用貫通孔１５が形成されている。また、各コンタクト１６は、金属板を打抜き及び曲げ加工することによって形成され、回路基板１７に半田接続されるとともに、コネクタ部１０に挿入されたメモリカード等のカードＣに嵌合接触するようになっている。なお、ハウジング１１の上部には、接地プレート１８が設置されている。
【００１５】
カード排出手段２０は、コネクタ部１０のハウジング１１に回動可能に配置された回動アーム２１と、ガイドアーム１２の側面に沿ってカードＣの挿抜方向（図１（Ａ）における上下方向）に移動可能な押圧バー２３と、押圧バー２３に回動可能に軸支され、カードの排出時に回動アーム２１を押圧して回動させる押圧プレート２５とを具備している。
回動アーム２１は、ハウジング１１内に回動可能に配置され、ハウジング１１内部の一端に、挿入されたカードＣに係合するカード係合部（図示せず）を備え、ハウジング１１外部の他端に、押圧プレート２５の後述する係合部  に係合するプレート係合部２２を備えている。回動アーム２１は、回動により、挿入されたカードＣを抜出方向（前方向、図１（Ａ）における下方向）に排出するようになっている。
【００１６】
押圧バー２３は、前後方向に延びる板状部材で構成され、金属板を打抜き及び曲げ加工することによって形成される。押圧バー２３は、ガイドアーム１２の外側面に沿って配置され、ガイドアーム１２の前方部から外側に突出する上下１対の係止爪１２ａ及びガイドアーム１２の後方部から外側に突出する上下１対の係止爪１２ｂによってカードＣの挿抜方向に移動可能に支持されている。図１乃至図９にあっては、押圧バー２３は、下側のスロットＢに対応するガイドアーム１２の外側面のみに沿って配置されているが、上下両側のスロットＡ，Ｂに対応するガイドアーム１２の外側面に沿って配置しても、あるいは上側のスロットＡに対応するガイドアーム１２の外側面のみに沿って配置してもよい。押圧バー２３の略中央部には、補強リブ２３ｃが前後方向に延在し、この補強リブ２３ｃの後方側には長穴２３ａが設けられている。この長穴２３ａの前端部には長穴２３ａよりも径の大きな丸穴２３ｂが形成されている。押圧バー２３の前端部には、押圧バー２３の押圧操作を可能とするための押圧ボタン２４が設けられている。押圧ボタン２４及びガイドアーム１２間には、押圧バー２３を前方へ常時付勢するための引張ばね２８が設けられている。
【００１７】
押圧プレート２５は、前後方向に延びる板状部材で構成され、金属板を打抜き及び曲げ加工することによって形成される。押圧プレート２５は、図２（Ａ）に示すように、押圧バー２３の内側に沿って配置されている。押圧プレート２５の前後方向略中央部には、外側に向けて突出するＬ字形状の支持部２５ａが折り曲げ形成されている。この支持部２５ａが押圧バー２３に形成された丸穴２３ｂに入り込み、支持部２５ａの先端が押圧バー２３の長穴２３ａ上に位置し、これにより、押圧プレート２５は、押圧バー２３に対して回動可能に軸支されている。また、押圧プレート２５の後端部には、カードＣの排出時に回動アーム２１のプレート係合部２２に係合する係合部２５ｂが形成されている。更に、押圧プレート２５の前端部は、図２（Ａ）によく示すように、やや内側に傾斜し、その先端にフランジ２５ｄ付きのカムピン２５ｃが内側に突出するように取付けられている。
【００１８】
また、上下両側のスロットＡ，Ｂに対応するガイドアーム１２の外側面には、カムピン２５ｃが係合するハート形のカム溝２６が形成されている。カム溝２６は、図２（Ｂ）に示すように、ガイドアーム１２の前後方向略中央部に形成された後側凹部２６ａと、その後側凹部２６ａから後方斜め上方に傾斜する第１直線状部２６ｂと、第１直線状部２６ｂの先端から一旦後方に延びてから前方に向けて延びる第２直線状部２６ｃとを備えている。そして、第２直線状部２６ｃの前端から前方斜め下方の位置に前側凹部２６ｄが形成されている。そして、前側凹部２６ｄから後方斜め下方に延びてから後方に向けて延びる略直線状部２６ｅが形成され、略直線状部２６ｅの後端から後側凹部２６ａに向けて第３直線状部２６ｆが延びている。従って、カム溝２６は、ハート形のループ状に形成されている。このガイドアーム１２の外側面に形成されたハート形のカム溝２６と、カム溝２６と係合するカムピン２５ｃとでカム機構を構成し、このカム機構により、押圧バー２３及び押圧プレート２５の前方向（カードＣの抜出方向）への引出動作と押圧バー２３及び押圧プレート２５の後方向（カードＣの挿入方向）への押圧動作とを不可逆にしている。即ち、カムピン２５ｃはカム溝２６に沿って一方向に移動してカム溝２６を一回りし、逆方向には移動しない。
【００１９】
また、回動アーム２１のプレート係合部２２近傍には、押圧バー移動規制プレート（押圧バーの移動規制手段）２７が取付けられている。押圧バー移動規制プレート２７は、前後方向に延びる板状部材で構成され、金属板を打抜き及び曲げ加工することによって形成される。押圧バー移動規制プレート２７は、押圧プレート２５の内側に配置されて前後方向に移動可能に設置される。押圧バー移動規制プレート２７は、前後方向に延び、ガイドアーム１２に形成された係止爪１２ｂによって上方への移動が規制される基板部２７ａを備えている。基板部２７ａの後方部には、回動アーム２１が入り込む開口２７ｂが形成されている。また、基板部２７ａの前方部には、内側に折り曲げられてから徐々に縮幅するように前方斜め下方に傾斜する傾斜部２７ｃが形成され、その傾斜部２７ｃから前方に向けて規制部２７ｄが形成されている。規制部２７ｄは、カードＣが挿入されていないときには、図２（Ｃ）に示すように、ガイドアーム１２の下端に形成された係止部１２ｃにより、下方への移動が規制されている。また、傾斜部２７ｃ及び規制部２７ｄは、ガイドアーム１２の外側面上に位置している。規制部２７ｄは、カードＣが回動アームのカード係合部に係合しないときには、図２（Ａ）、（Ｃ）に示すように、カムピン２５ｃのフランジ２５ｄの側面に当接し、押圧プレート２５の押圧バー２３に対する時計方向への回動を阻止するようになっている。
【００２０】
次に、本発明の作用を図２乃至図９を参照して説明する。
図２に示すように、カードＣの挿入前は、回動アーム２１の係合部２２が後方に位置し、そして、これにともなって押圧バー移動規制プレート２７も後方に位置している。また、押圧バー２３、押圧ボタン２４及び押圧プレート２５は後方に位置し、押圧プレート２５に設けられたカムピン２５ｃはガイドアーム１２に形成されたカム溝２６の後方凹部２６ａに位置している。このとき、押圧バー移動規制プレート２７の規制部２７ｄがカムピン２５ｃのフランジ２５ｄの側面に当接し、押圧プレート２５の押圧バー２３に対する時計方向への回動が阻止されており、押圧プレート２５及び押圧バー２３の後方への移動が阻止されている。規制部２７ｄは、カードＣが挿入されていないときには、図２（Ｃ）に示すように、ガイドアーム１２の下端に形成された係止部１２ｃにより、下方への移動が規制されているので、押圧バー移動規制プレート２７が下方へ回動不可で、押圧プレート２５を押圧しても押圧バー移動規制プレート２７は下方へ回動しない。また、カムピン２５ｃが後方凹部２６ａに位置することで、押圧プレート２５及び押圧バー２３の前方への移動が阻止されている。つまり、カードＣが挿入されて回動アーム２１に当接する前までは、押圧バー移動規制プレート２７により押圧プレート２５及び押圧バー２３の押圧が阻止される。
【００２１】
そして、カードＣをハウジング１１に挿入し、カードＣの後端部が回動アーム２１のカード係合部に係合すると、図３（Ａ）に示すように、回動アーム２１の係合部２２が前方向（矢印方向）に回動する。これに伴って、押圧バー移動規制プレート２７も前進し、図３（Ｃ）に示すように、規制部２７ｄが係止部１２ｃから外れ、傾斜部２７ｃの下方に係止部１２ｃが位置し、押圧バー移動規制プレート２７が下方に向けて回動可能となる。このため、カードＣが回動アーム２１のカード係合部に係合したときに初めて、カムピン２５ｃがカム溝２６に沿って移動可能となる。カードＣのハウジグＣへの挿入が完了すると、コンタクト１６がカードＣと嵌合接触し、カードＣと回路基板１７とが電気的に接続されることになる。そして、図３（Ｂ）、（Ｃ）に示すように、押圧バー２３を若干押圧すると、カムピン２５ｃはガイドアーム１２に形成されたカム溝２６の後方凹部２６ａから第３直線状部２６ｆに沿って移動し、押圧プレート２５が支持部２５ａを中心に前側が下方に後側が上方に回動する。押圧プレート２５の後側が上方に回動することにより、押圧プレート２５の係合部２５ｂは回動アーム２１の係合部２２に係合することが回避される。そして、カムピン２５ｃの後方凹部２６ａから第３直線状部２６ｆへの移動に伴って、押圧バー移動規制プレート２７も上側の係止爪１２ｂとの接点を中心に前側がやや下方に回動する。
【００２２】
そして、カードＣを排出するため、押圧バー２３を押圧して押圧プレート２５を最後端位置まで後退させた後、押圧バー２３の押圧を中止すると、引張ばね２８の作用により、図４及び図５に示すように、押圧バー２３及び押圧プレート２５が前進する（押圧バー２３及び押圧プレート２５の引出動作）。このとき、カムピン２５ｃはカム溝２６の略直線状部２６ｅに沿って前進する。
【００２３】
そして、押圧バー２３及び押圧プレート２５は、図６に示すように最前端位置に位置することになる。このとき、カムピン２５ｃはカム溝２６の前側凹部２６ｄに位置することになる。これにより、押圧ボタン２４が筐体（図示せず）から突出し、次工程でのカードＣの排出が可能となる。カムピン２５ｃがカム溝２６の前側凹部２６ｄに位置すると、押圧プレート２５はカード挿抜方向と平行になる。
【００２４】
次いで、押圧バー２３を押圧すると、図７に示すように、押圧プレート２５が後退するとともにカムピン２５ｃがカム溝２６の第２直線状部２６ｃに沿って後方に移動し、押圧プレート２５は支持部２５ａを中心として後側が下方に前側が上方にやや回動する。そして、押圧バー２３の押圧を続行すると、押圧プレート２５の係合部２５ｂが回動アーム２１の係合部２２に係合する（押圧バー２３及び押圧プレート２５の押圧動作）。
【００２５】
そして、押圧バー２３を更に押圧すると、図８に示すように、押圧プレート２５が後退して回動アーム２１の係合部２２が後方（図８における矢印方向）に向けて回動し、挿入されたカードＣがやや前方に排出される。このとき、カムピン２５ｃがカム溝２６の第２直線状部２６ｃに沿って後方に移動する。また、押圧バー移動規制プレート２７も回動アーム２１の回動に伴って後退し、規制部２７ｄが係止部１２ｃによって係止され、押圧バー移動規制プレート２７の下方に向けての回動が不可となる。
【００２６】
そして、押圧バー２３を更に押圧すると、図９に示すように、押圧プレート２５が最後端位置にまで後退し、回動アーム２１が更に回動してカードＣが完全に排出される。このとき、カムピン２５ｃがカム溝２６の第２直線状部２６ｃに沿って後方に移動し、最後端位置に位置する。また、押圧バー移動規制プレート２７も回動アーム２１の回動に伴って後退する。
【００２７】
そして、押圧バー２３の押圧を中止すると、引張ばね２８の作用により、押圧バー２３及び押圧プレート２５はやや前方に移動し、図２に示す元の状態に戻る。このとき、カムピン２５ｃはカム溝２６の第１直線状部２６ｂに沿って前方に移動して後側凹部２６ａに位置することになる。一方、押圧バー移動規制プレート２７は図９に示す状態から移動しない。
【００２８】
本発明の実施形態によれば、カード排出手段２０が、コネクタ部１０に回動可能に配置され、回動によりカードＣを抜出方向に排出する回動アーム２１と、押圧ボタン２４を有しガイドアーム１２の側面に沿ってカードＣの挿抜方向に移動可能な押圧バー２３と、押圧バー２３に回動可能に軸支され、カードＣの排出時に回動アーム２１を押圧して回動させる押圧プレート２５とを具備しているので、押圧ボタン２４を有する押圧バー２３の押圧操作により、押圧プレート２５が押圧されて回動アーム２１を回動させ、カードＣを排出することができる。
【００２９】
そして、ガイドアーム１２の側面に形成されたハート形のカム溝２６と、押圧プレート２５に設けられ、カム溝２６と係合するカムピン２５ｃとからなるカム機構を設けたので、押圧バー２３及び押圧プレート２５の引出動作と押圧バー２３及び押圧プレート２５の押圧動作とを不可逆にすることができる。そして、このカム機構に曲げ加工は不要となり、少しの寸法のずれやまた組み付け時における組み付け誤差の影響を受けることが少なくカム機能を確実に達成させることができるいわゆるプッシュープッシュ作用を可能にしたイジェクト機能を有するコンパクトなカードコネクタを提供できる。
【００３０】
また、カードＣが所定位置（回動アーム２１に係合する位置）に挿入されたときに、カムピン２５ｃがカム溝２６に沿って移動することを可能にする押圧バー移動規制プレート２７を設けたので、カードＣを所定位置まで挿入しなければ押圧ボタン２４を筐体から突出することができない動作を可能とすることができる。
以上、本発明の実施形態について説明してきたが、本発明はこれに限定されずに種々の変更、改良を行うことができる。
【００３１】
例えば、はハウジング１１の長手方向の片端にガイドアーム１２が設けられ、ハウジング１１の長手方向の他端にフレーム３０の側壁部３３が配置されて、これらガイドアーム１２及び側壁部３３によりカードＣの挿抜を案内しているが、ガイドアーム１２をハウジング１１の長手方向両端に設けてカードＣの挿抜を案内するようにしてもよい。
【図面の簡単な説明】
【００３２】
【図１】本発明に係るカードコネクタを示し、（Ａ）は平面図、（Ｂ）は左側面図、（Ｃ）は正面図である。
【図２】カードコネクタにカードを挿入する前の状態の主要部を示し、（Ａ）は一部平面図、（Ｂ）は一部左側面図、（Ｃ）は押圧バーを取り除いた一部左側面図である。
【図３】カードコネクタにカードを挿入後、押圧ボタンを突出させるために押圧プレートをやや後退させた状態の主要部を示し、（Ａ）は一部平面図、（Ｂ）は一部左側面図、（Ｃ）は押圧バーを取り除いた一部左側面図である。
【図４】押圧プレートを最後端位置まで後退させた後、押圧プレートの押圧を中止し押圧プレートが前進する途中の状態の主要部を示し、（Ａ）は一部平面図、（Ｂ）は一部左側面図、（Ｃ）は押圧バーを取り除いた一部左側面図である。
【図５】図４に示す状態から押圧プレートが更に前進した状態の主要部を示し、（Ａ）は一部平面図、（Ｂ）は一部左側面図、（Ｃ）は押圧バーを取り除いた一部左側面図である。
【図６】図５に示す状態から押圧プレートが更に前進し最前端位置にある状態の主要部を示し、（Ａ）は一部平面図、（Ｂ）は一部左側面図、（Ｃ）は押圧バーを取り除いた一部左側面図である。
【図７】カードを排出するために図６に示す状態から押圧プレートを後退させ押圧プレートの係合部が回動アームに当接した状態の主要部を示し、（Ａ）は一部平面図、（Ｂ）は一部左側面図、（Ｃ）は押圧バーを取り除いた一部左側面図である。
【図８】図７に示す状態から押圧プレートを更に後退させた状態の主要部を示し、（Ａ）は一部平面図、（Ｂ）は一部左側面図、（Ｃ）は押圧バーを取り除いた一部左側面図である。
【図９】押圧プレートを最後端位置にまで後退させた状態の主要部を示し、（Ａ）は一部平面図、（Ｂ）は一部左側面図、（Ｃ）は押圧バーを取り除いた一部左側面図である。
【図１０】従来例のプッシュープッシュ作用を可能にしたイジェクト機能を有するカードコネクタの斜視図である。
【図１１】従来の他の例のプッシュープッシュ作用を可能にしたイジェクト機能を有するカードコネクタの斜視図である。
【図１２】図１１に示したカードコネクタのイジェクト機構の主要部を示し、（Ａ）は平面図、（Ｂ）は側面図である。
【符号の説明】
【００３３】
１  カードコネクタ
１０  コネクタ部
１２  ガイドアーム
２０  カード排出手段
２１  回動アーム
２３  押圧バー
２４  押圧ボタン
２５  押圧プレート
２５ｃ  カムピン（カム機構）
２６  カム溝（カム機構）
２７  押圧バー移動規制プレート（押圧バーの移動規制手段）
Ｃ  カード
【図１】
2006040634.tif 000003
【図２】
2006040634.tif 000004
【図３】
2006040634.tif 000005
【図４】
2006040634.tif 000006
【図５】
2006040634.tif 000007
【図６】
2006040634.tif 000008
【図７】
2006040634.tif 000009
【図８】
2006040634.tif 000010
【図９】
2006040634.tif 000011
【図１０】
2006040634.tif 000012
【図１１】
2006040634.tif 000013
【図１２】
2006040634.tif 000014